(57)【要約】【課題】公開された検索エンジンから、利用者が使いたいものを選んで速やかに呼び出すための選択型の検索システム。【解決手段】公開された複数の検索エンジンのそれぞれについて、呼び出しの種類、文字コード、パラメータの形式を保持するテーブルにより、どの検索エンジンに対しても同じ方法で呼び出すことができる検索プラットフォームとなるシステムであり、利用者が任意に選択した検索エンジンを即座に呼び出せるようにする。検索エンジンの選択には、コマンドライン形式を使うこともできる。また、利用者ごとに対象となる検索エンジンをカスタマイズできる。さらに、任意のウェブサイト上で、呼び出しの方法（呼び出し形式、文字コード、パラメータ）を自動的に収集させるための手段を持つ。【選択図】図３
2011204211.tif 000002
【特許請求の範囲】
【請求項１】
グラフィカルなユーザーインターフェイスを用いて、利用者が一か所に入力した文字列を、利用者が選んだ情報検索サービスに渡すシステム。
【請求項２】
コマンドライン形式を用いて、利用者が情報を調べたい文字列と、情報検索サービスをまとめて指定するシステム。
【請求項３】
利用者ごとに、情報検索テーブルならびにコマンド割り当てテーブルを保持し、これを利用するシステム。
【請求項４】
任意のウェブサイトにおいて、呼び出しの方法（呼び出し形式、文字コード、パラメータ）を保持する情報を配置させ、それを利用することで、一貫した方法で情報検索を行うシステム。
【発明の詳細な説明】
【技術分野】
【０００１】  本発明は、インターネット上に多々存在する、入力文字列に対応する情報を提供するウェブサイトに対し、利用者の選択したウェブサイトで即座に情報を表示するためのシステムに関するものである。
【背景技術】
【０００２】  近年の検索技術の発達やインターネットでの情報提供量の拡充にともない、各ウェブサイトには膨大な情報が蓄積されつつある。通常の検索エンジンは、それらから情報を収集して、利用者の目的に適したウェブサイトを検索結果として表示する。しかし、地図検索、単語の翻訳、テレビ番組の情報といった特定の目的に関しては、それぞれに適したウェブサイトがある。【０００３】  そこで、検索ポータルと呼ばれるサイトでは、多様な目的の情報検索機能をそれ自身に取り込む形で、異なる目的の情報検索を実装している（たとえば、非特許文献１参照。）。この場合、ウェブサイト自身の会社が提供するサービス、または提携関係にある会社のサービスのみが情報検索の対象となる。または、利用者が直接ＵＲＬ（ユニバーサル・リソース・ロケータ）を指定して目的に適した任意のウェブサイトを表示する。
【非特許文献】  「ＭＳＮ  ウェブサイト」、ｈｔｔｐ：／／ｊｐ．ｍｓｎ．ｃｏｍ／。
【発明の概要】
【発明が解決しようとする課題】
【０００４】  通常、インターネット上で情報を収集しようとする利用者は、目的の情報を得るために、（１）ＵＲＬを指定して任意のウェブサイトの表示する、（２）文字列を入力してボタンを押下する、という２段階の手順を必要とする。一般に、インターネット用の閲覧アプリケーション（ブラウザ）は、ブックマークと呼ばれる機能を持ち、ウェブサイトをすばやく呼び出すことはできるが、ブックマークは単純なテキストに基づくＵＲＬを保持するだけであり、特定の文字列を共通的に与えることはできない。ブラウザは、プラグインと呼ばれるプログラムを組み込むことで、共通の文字列入力ボックスから指定したウェブサイトを呼び出すことはできるが、これは利用者ごとのパソコンにインストールするものであり、他者が利用することはできない。【０００５】  本発明は、このような事情に鑑みてなされたもので、インターネット上に存在する情報検索サービスの呼び出しの形式、文字コード、パラメータを集約し、（１）文字列を入力して、そこから任意のウェブサイトを呼び出す、という１段階の手順で、利用者が必要とする情報を即座に表示することを目的とする。
【課題を解決するための手段】
【０００６】  本発明の一つの特徴は、上記課題を解決するために、インターネット上に存在するウェブサイトのそれぞれについて呼び出しの形式、文字コード、パラメータを情報検索テーブルとして保持し、利用者が任意のウェブサイトを選択できるようにするものである。図１に本発明で使う典型的な情報検索テーブルの実施例を示す。本発明によるシステムでは、あらかじめ情報検索テーブルに記録されたウェブサイトは、グラフィカルなユーザーインターフェイスにおけるよってボタンを押下すること、またはコマンドライン形式により文字列で選択することができる。さらに、利用者ごとに情報検索テーブルをカスタマイズすること、ならびに、あらかじめ情報検索テーブルに登録されていないウェブサイトにおいても、そのウェブサイト上に呼び出し方法（呼び出しの形式、文字コード、パラメータ）を保持するファイルを配置することで、即座に情報を検索できるようになる。【０００７】  上記発明におけるグラフィカルなユーザーインターフェイスの実施例として、利用者が調べたい文字列を入力するテキストボックスと、ウェブサイトを選択するための複数のボタンを提供する（図２）。それぞれのボタンが、テーブルに保持されている個々の呼び出し情報（呼び出し形式、文字コード、パラメータ）に対応し、テキストボックスに渡された文字列をパラメータとして、選択されたウェブサイトを呼び出す（図３）。【０００８】  上記発明におけるコマンドライン形式のユーザーインターフェイスの実施例として、情報を調べたい文字列を入力するテキストボックスを持つユーザーインターフェイスを提供する。ここで、先頭に特定の記号（ここでは“！”とする）が入力された場合は、続く単語をコマンドと解釈し、図４に示すコマンド割り当てテーブルを元に呼び出すウェブサイトを選択する（図５）。【０００９】  上記発明において、利用者ごとに情報検索テーブルおよびコマンド割り当てテーブルを保持する機能を提供する。一般的なログインシステムに基づき、それぞれの利用者に対応する情報検索テーブルおよびコマンド割り当てテーブルを保持できるようにする（図６）。ログイン中は、それらの利用者に関連付けられたテーブルに基づいて、テキストボックスに渡された文字列とボタンの押下またはコマンドラインによるコマンドに基づいて、選択されたウェブサイトを呼び出す（図７）【００１０】  上記発明において、あらかじめ情報検索テーブルに登録されていないウェブサイトについても、そのウェブサイト上に特定のファイル（ここでは＿ＳｅｒｖｉｃｅＩｎｆｏ＿．ｘｍｌとする）がある場合は、そのファイルに保持されている呼び出し形式、文字コード、パラメータを利用できるようにする。入力ボックスの先頭に特定の記号（ここでは“＄”とする）が入力された場合は、続く文字列をウェブサイトのＵＲＬ（ｈｔｔｐ：／／の指定は無用）とし、そこに置かれた特定ファイルから呼び出し情報を参照して、ウェブサイトを呼び出す（図８）。
【発明の効果】
【００１１】  本発明によれば、利用者は情報を調べたいウェブサイトの選択と文字列の入力を、一貫した方法で、一度にまとめて行うことができる。
【発明を実施するための形態】
【００１２】  本発明は、ウェブサーバーとして実施されるシステムである。このシステムは、インターネット閲覧ソフト（ブラウザ）を通じて利用される。
【図面の簡単な説明】
【図１】本発明で使われる、情報検索テーブルの実施例を示している。
【図２】本発明のグラフィカルなユーザーインターフェイスの実施例を示している。
【図３】本システムのもっとも簡単な実施例として、図２に示したグラフィカルなユーザーインターフェイスにおける処理フローを示している。
【図４】本発明のコマンドライン形式で使われる、コマンド割り当てテーブルの実施例を示している。
【図５】コマンドライン形式の実施例における処理フローを示している。
【図６】利用者ごとの情報検索テーブルならびにコマンド割り当てテーブルの実施例を示している。
【図７】利用者ごとのテーブルに基づいたウェブサイトの選択する処理フローを示している。
【図８】情報検索テーブルに存在しないウェブサイトで、呼び出し情報を保持する場合に、コマンドライン形式で呼び出す場合の処理フローを示している。
【図１】
2011204211.tif 000003
【図２】
2011204211.tif 000004
【図３】
2011204211.tif 000005
【図４】
2011204211.tif 000006
【図５】
2011204211.tif 000007
【図６】
2011204211.tif 000008
【図７】
2011204211.tif 000009
【図８】
2011204211.tif 000010